(57)【要約】【課題】コンテンツのＣＭの再生状態がコンテンツ提供者の意図に沿ったものか否かをサーバ側で判別する。【解決手段】コンテンツ本編に挿入されたＣＭを構成するＧＯＰのヘッダであるＲＤＩパックのＭＮＦＩ＿ＤＴにＣＭ毎の連続番号であるシーンＩＤと、ＣＭを構成するＧＯＰ毎の連続番号である連続カウンタとからなる場面データを記述したコンテンツをクライアントに送信する。クライアントは受信したコンテンツを記録媒体へ記録し、記録媒体から読み出したコンテンツを再生する。コンテンツの再生中にシーンＤＩ、連続カウンタ値の連続性に基づいてＣＭ部分が通常再生されたか、早送り再生、あるいはスキップされたかを検出し、検出した再生状態をサーバへ送信する。【選択図】      図３
2009141435.tif 000002
【特許請求の範囲】
【請求項１】
コンテンツ配信サーバに接続され得るコンテンツ再生装置において、
識別情報を有する場面を含むコンテンツを受信する手段と、
受信したコンテンツを記録媒体へ記録する手段と、
前記記録媒体から読み出したコンテンツを再生する手段と、
コンテンツの再生中に前記場面の再生状態を検出し、検出した状態をサーバへ送信する手段と、
を具備するコンテンツ再生装置。
【請求項２】
前記場面は複数の画面グループからなり、該画面グループは複数の画面からなり、該画面グループは場面の識別情報と、画面の識別情報とを含むヘッダが付加されており、
前記送信手段は、前記場面の識別情報、前記画面の識別情報に応じて前記場面の再生状態を検出する請求項１記載のコンテンツ再生装置。
【請求項３】
前記場面を構成する画面グループのヘッダは場面に応じたアンケートの識別情報をさらに含み、
前記送信手段は前記場面の通常再生が終了すると、前記アンケートの識別情報を前記サーバへ送信する請求項２記載のコンテンツ再生装置。
【請求項４】
前記送信手段は、前記場面の通常再生開始、通常再生終了、再生状態の変化を示す情報を前記サーバへ送信する請求項１乃至請求項３のいずれか一項記載のコンテンツ再生装置。
【請求項５】
前記場面の再生状態の変化は通常再生から早送り再生への変化、通常再生からスキップへの変化、早送り再生から通常再生への変化、スキップから通常再生への変化を含むことを特徴とする請求項４記載のコンテンツ再生装置。
【請求項６】
ダウンロードしたコンテンツを記録媒体へ記録する手段を具備するクライアントと、前記クライアントが接続され得るサーバとからなるコンテンツ配信システムにおいて、
前記サーバは前記クライアントから要求されたコンテンツに識別情報を有する場面を挿入して前記クライアントへ送信する手段を具備し、
前記クライアントは前記記録媒体から読み出したコンテンツを再生する手段と、
コンテンツの再生中に前記場面の識別情報を再生し、再生した識別情報に基づいて前記場面の再生状態を検出し、検出した状態を示す状態情報をサーバへ送信する手段を具備し、
前記サーバは前記状態情報に基づいて前記場面が通常再生されたか否かを判定する手段を具備するコンテンツ配信システム。
【請求項７】
前記場面は複数の画面グループからなり、該画面グループは複数の画面からなり、該画面グループは場面の識別情報と、画面の識別情報とを含むヘッダが付加されており、
前記クライアントの送信手段は、前記場面の識別情報、前記画面の識別情報に応じて前記場面の再生状態を検出する請求項６記載のコンテンツ配信システム。
【請求項８】
前記場面を構成する画面グループのヘッダは場面に応じたアンケートの識別情報をさらに含み、
前記クライアントの送信手段は前記場面の通常再生が終了すると、前記アンケートの識別情報を前記サーバへ送信し、
前記サーバは前記アンケートの識別情報に応じたアンケートを前記クライアントに送信する請求項７記載のコンテンツ配信システム。
【請求項９】
前記クライアントの送信手段は、前記場面の通常再生開始、通常再生終了、再生状態の変化を示す情報を前記サーバへ送信する請求項６乃至請求項８のいずれか一項記載のコンテンツ配信システム。
【請求項１０】
前記場面の再生状態の変化は通常再生から早送り再生への変化、通常再生からスキップへの変化、早送り再生から通常再生への変化、スキップから通常再生への変化を含むことを特徴とする請求項９記載のコンテンツ配信システム。
【発明の詳細な説明】
【技術分野】
【０００１】
本発明はサーバからダウンロードしたコンテンツを再生するコンテンツ再生装置およびコンテンツ配信システムに関する。
【背景技術】
【０００２】
従来のコンテンツ配信者は配信するコンテンツにある企業のコマーシャル（以下、ＣＭと略称する）を挿入して企業から広告収入を得ている。しかし、ＨＤＤレコーダ等の記録再生装置の普及により、ユーザは配信コンテンツを一旦記録媒体に記録し、ＣＭ部分をスキップして再生することが可能となっている。これは、企業にとってＣＭの価値が下がることになり、好ましくない。このため、ユーザにＣＭの視聴を促す技術が種々開発されている。一例として特許文献１に記載のコンテンツ受信記録再生装置はコンテンツの再生要求があった際には（ステップ４０１）、当該再生要求のあったコンテンツの再生処理を行う（ステップ４０２）。当該コンテンツの再生処理に伴い、これに含まれる各ＣＭ部分の再生がされたと判断（当該判断は、制御部２３１によって記憶部２３２に格納されているＣＭ情報テーブル６０から各ＣＭの記録場所を取得し、当該記録場所のデータが再生されたか否かを判別することによって行われる）された場合には（ステップ４０３）、ＣＭ情報テーブル６０の当該各ＣＭ部分に該当する視聴履歴フラグを“１”にし（ステップ４０５）、当該再生されたＣＭのＣＭ情報と視聴履歴フラグとを、コンテンツ受信記録再生装置２３の装置識別情報とともにコンテンツ配信サーバ３へと送信する（ステップ４０６）。これにより、コンテンツ配信側でのＣＭ視聴状況の判別を可能とさせる。
【０００３】
また、コンテンツの再生要求があった場合に、未視聴のＣＭが所定量を超えている場合には（ステップ９０１）、強制的に未視聴ＣＭの再生処理を行い（ステップ９０２）、未視聴ＣＭが所定量を下回った場合にのみ指示されたコンテンツの再生処理を行うようにすることで、より未視聴ＣＭの視聴を促すようにすることもできる。
【０００４】
特許文献１では、コンテンツ配信サーバ３はＣＭが再生されたか否かは判別できるが、どのように再生されたかは不明である。例えば、倍速再生したか等倍再生したのかは判別できなかった。そのため、ＣＭ付きのコンテンツの配信者が意図する再生状態（通常は等倍再生）でＣＭが再生されたか否か判別することはできなかった。
【特許文献１】特開２００７−１９４７６５号公報（段落００３３、段落００４１、図４、図９）
【発明の開示】
【発明が解決しようとする課題】
【０００５】
このように従来のコンテンツ配信システムでは配信サーバ側はＣＭの再生状態を判別することができないという欠点がある。
【０００６】
本発明の目的は、コンテンツの一場面の再生状態がコンテンツ提供者の意図に沿ったものか否かをサーバ側で判別できるコンテンツ再生装置およびコンテンツ配信システムを提供することにある。
【課題を解決するための手段】
【０００７】
上記した課題を解決し目的を達成するために、本発明は以下に示す手段を用いている。
【０００８】
本発明の一態様によれば、コンテンツ再生装置は識別情報を有する場面を含むコンテンツを受信する手段と、受信したコンテンツを記録媒体へ記録する手段と、前記記録媒体から読み出したコンテンツを再生する手段と、コンテンツの再生中に前記場面の再生状態を検出し、検出した状態をサーバへ送信する手段とを具備するものである。
【０００９】
本発明の一態様によれば、コンテンツ配信システムはダウンロードしたコンテンツを記録媒体へ記録する手段を具備するクライアントと、前記クライアントが接続され得るサーバとからなるコンテンツ配信システムにおいて、前記サーバは前記クライアントから要求されたコンテンツに識別情報を有する場面を挿入して前記クライアントへ送信する手段を具備し、前記クライアントは前記記録媒体から読み出したコンテンツを再生する手段と、コンテンツの再生中に前記場面の識別情報を再生し、再生した識別情報に基づいて前記場面の再生状態を検出し、検出した状態を示す状態情報をサーバへ送信する手段を具備し、前記サーバは前記状態情報に基づいて前記場面が通常再生されたか否かを判定する手段を具備するものである。
【発明の効果】
【００１０】
以上説明したように本発明によれば、コンテンツの特定の場面に識別情報を組み込んだことにより、サーバ側で該特定の場面の再生状態を認識することができ、該場面の再生状態がコンテンツ提供者の意図に沿ったものか否かをサーバ側で判別することできる。
【発明を実施するための最良の形態】
【００１１】
以下、図面を参照して本発明によるコンテンツ再生装置およびコンテンツ配信システムの実施の形態を説明する。
【００１２】
第１の実施の形態
図１は本発明の第１の実施の形態に係るコンテンツ再生装置とサーバとからなるコンテンツ配信システムの構成を示す図である。コンテンツ再生装置である記録再生装置１０がネットワーク１２を介してコンテンツ配信サーバ１４に接続される。記録再生装置１０はクライアントとも呼ばれる。記録再生装置１０には再生映像を表示するモニタ装置１６が接続される。
【００１３】
コンテンツ配信サーバ１４は配信されるコンテンツ、ＣＭ、アンケートを記憶するデータベース２２と、制御ＣＰＵ部２６と、ネットワーク１２に接続される通信ポート３４とからなる。
【００１４】
本実施形態では、コンテンツには本編の間にＣＭが挿入されており、ＣＭには場面データ（詳細は後述）が付加されている。場面データとはシーンＩＤ（ＣＭのＩＤと等価であり、ＣＭ毎に付される連続番号）と、連続カウンタ（１つのＣＭにおいてＧＯＰ毎に付される連続番号）と、アンケートＩＤ（通常、ＣＭ毎に付される）を含む。本システムは、ＣＭの視聴後に当該ＣＭの内容に関するクイズのようなアンケートを配信し、視聴者がアンケートに対する適切な回答を返信すると何か特典が貰える。これにより、ＣＭのより確実な視聴を促すことができる。
【００１５】
制御ＣＰＵ部２６はコンテンツ・アンケート送信処理部２８と、アンケートＩＤ・アンケート回答受信処理部３０と、シーンＩＤ・再生状態情報・マシンＩＤ受信処理部３２とからなる。再生状態情報は再生装置の再生状態が変化した時（再生開始時、再生停止時、スキップ時、早送り再生開始時）にサーバへその旨を伝えるための情報である。マシンＩＤは当該コンテンツを再生する再生装置のＩＤである。
【００１６】
記録再生装置１０の一例はハードディスク装置内蔵のＤＶＤ記録再生機である。記録再生装置１０はハードディスクドライブ部４６で保存されたコンテンツをＤＶＤドライブ部４２によりＤＶＤ４４に記録する。記録再生装置１０はネットワーク１２と接続される通信ポート７２と、制御ＣＰＵ部５６と、ユーザ操作入力部７４と、メモリ部５２と、チューナ部５４と、記録再生信号処理部５０も含む。
【００１７】
ユーザ操作入力部７４はリモートコントローラ、操作パネル等のユーザの種々の指示を入力するものである。制御ＣＰＵ部５６はコンテンツ・アンケート受信処理部５８と、再生モード処理部６０、シーン検出処理部６２、シーン内アンケート処理部６４、再生モードとシーン照合処理部６６と、アンケートＩＤ・アンケート回答送信処理部６８と、シーンＩＤ・再生状態情報・マシンＩＤ送信処理部７０とからなる。再生モードは通常再生、早送り再生、スキップ等を含む。メモリ部５２は場面データを格納する。
【００１８】
本実施形態では配信するコンテンツはＤＶＤ−ＶＲ規格に従ったコンテンツであるとする。図２は本実施形態のＤＶＤ−ＶＲフォーマットのコンテンツのデータフォーマットを示す。
【００１９】
例えば、０．５秒（１５枚の画面）程度の画面（ピクチャ）をグループ化してＧＯＰ（グループオブピクチャ）が形成される。幾つかのＧＯＰでＣＭが構成される。実施形態では、本編の間に数個のＣＭが連続して配置される。１ＧＯＰ内の画面データの中には少なくとも１枚は完結情報（前後画面の情報を利用せず１枚だけで閉じた画面データであり、Ｉピクチャと称する）を含み、この完結情報を元に１ＧＯＰ内の画面データがランダムアクセス可能である。各ＧＯＰの前にはＲＤＩ（リアルタイムデータインフォメーション）パックが配置される。
【００２０】
ＲＤＩパックは１４バイトのパックヘッダと、２４バイトのシステムヘッダと、６バイトのパケットヘッダと、１バイトのサブストリームＩＤと、２００３バイトのＲＤＩデータからなるトータル２０４８バイトのデータである。パケットヘッダとサブストリームＩＤとＲＤＩデータはＲＤＩ＿ＰＫＴとも称される。
【００２１】
図３に示すように、ＲＤＩデータはＲＢＰ（相対バイト位置）０〜１５の１６バイトのＲＤＩ＿ＧＩ（リアルタイムデータインフォメーションジェネラルインフォメーション）フィールドと、ＲＢＰ１６〜２３の８バイトのＤＣＩ＿ＣＣＩ（ディスプレイコントロールインフォメーションとコピーコントロールインフォメーション）フィールドと、ＲＢＰ２４〜１９９４の１９７１バイトのＭＮＦＩ（マニュファクチャラーズインフォメーション）フィールドと、ＲＢＰ１９９５〜２００２の８バイトのリザーブフィールドのトータル２００３バイトからなる。リザーブフィールドは著作権保護のためにリザーブされている。
【００２２】
ＲＤＩ＿ＧＩは後続のビデオデータとの同期をとるための再生状態情報と録画時間とからなり、ＲＢＰ０〜１の２バイトのリザーブフィールドと、ＲＢＰ２〜７の６バイトのＶＯＢＵ＿Ｓ＿ＰＴＭ（ＶＯＢＵの開始ＰＴＭ）フィールドと、ＲＢＰ８〜１０の３バイトのリザーブフィールドと、ＲＢＰ１１〜１５の５バイトのＶＯＢＵ＿ＲＥＣ＿ＴＭ（ＶＯＢＵの記録時間）フィールドのトータル１６バイトからなる。
【００２３】
ＤＣＩ＿ＣＣＩはＤＣＩ・ＣＣＩのステータスと、アスペクト比、サブタイトルモード、フィルムカメラモード等の表示制御情報（ＤＣＩ）と、コピー世代管理情報等のコピーコントロール情報（ＣＣＩ）からなる
ＭＮＦＩはＲＢＰ２４〜２６の３バイトのリザーブフィールドと、ＲＢＰ２７〜５８の３２バイトのＭＮＦ＿ＩＤ（マニュファクチュラＩＤ）フィールドと、ＲＢＰ５９〜１９９４の１９３６バイトのＭＦＮＩ＿ＤＴ（マニュファクチュラズインフォメーションデータ）フィールドのトータル１９７１バイトからなる。
【００２４】
ＭＮＦ＿ＩＤはＭＤＦＩ＿ＤＴのマニュファクチュラＩＤを記述する。マニュファクチュラＩＤはマニュファクチュラ（機器製造会社）に固有の情報である。ＭＦＮＩ＿ＤＴはマニュファクチュラ独自の情報を記述する。
【００２５】
ＭＦＮＩ＿ＤＴのＲＢＰ０〜７の８バイトはシーンＩＤ、ＲＢＰ８〜９の２バイトは連続(continuous)カウンタ、ＲＢＰ１０〜１４の５バイトはアンケートＩＤであリ、これらはＣＭ部分のＧＯＰのＲＤＩパックについては記述されるが、本編コンテンツのＧＯＰのＲＤＩパックについては記述されない。なお、ＭＦＮＩ＿ＤＴの残りの１９２１バイトについては他のデータが適宜記述されるので、本編コンテンツについても記述される場合がある。
【００２６】
シーンＩＤは１つのＣＭコンテンツに対する識別番号であリ、挿入したＣＭにその順番に連続番号が付けられる。図２の例では、ＣＭ１を構成するＧＯＰのＲＤＩにはシーンＩＤ（＝１）が、ＣＭ２を構成するＧＯＰのＲＤＩにはシーンＩＤ（＝２）が、ＣＭ３を構成するＧＯＰのＲＤＩにはシーンＩＤ（＝３）が記述される。１つのＣＭコンテンツは複数のＧＯＰから構成されることが殆どであるので、１つのＣＭコンテンツを構成するＧＯＰのＩＤとしてＧＯＰ毎に連続カウンタが設けられる。ＣＭ１の１番目のＧＯＰのＲＤＩには連続カウンタ（＝１）が、２番目のＧＯＰのＲＤＩには連続カウンタ（＝２）が、３番目のＧＯＰのＲＤＩには連続カウンタ（＝３）が、…記述される。アンケートＩＤは当該ＣＭに関連するアンケートを識別するＩＤである。アンケートＩＤは各ＲＤＩパックに記述する必要は無く、ＣＭコンテンツを構成するＧＯＰの少なくともいずれか１つ、例えば一番最初あるいは一番最後のＧＯＰのＲＤＩのみに記述するだけでもよい。これは、ＣＭコンテンツ毎に１つのアンケートが決まっているので、各ＧＯＰ毎に記述しておく必要がないからである。
【００２７】
記録再生信号処理部５０は図４に示すようにＤＶＤ４４、ハードディスク等の記録媒体から読み出したデータストリーム（記録情報）をＲＤＩパック８２と、ＧＯＰを構成するビデオパック８６、オーディオパック８８、サブピクチャパック８４とに分解するデマルチプレクサ８０からなる。ＲＤＩパック８２は制御ＣＰＵ部５６に供給され、シーンＩＤ、連続カウンタ、アンケートＩＤが制御ＣＰＵ部５６で処理される。サブピクチャパック８４とビデオパック８６はビデオデコーダ９０に、オーディオパック８８はオーディオデコーダ９２に供給され、映像・音声がモニタ装置１６で再生される。
【００２８】
図５は本コンテンツ配信システムの再生動作を示すフローチャートである。記録再生装置１０は図５のブロック＃１０２でコンテンツを購入（無料の場合は単に視聴）することを決定し、コンテンツのダウンロードを要求する。サーバ１４はブロック＃２０２でコンテンツにＣＭを挿入する（図２参照）。ＣＭ部分のＧＯＰのヘッダであるＲＤＩパック内のＭＮＦＩ＿ＤＴ内に場面データ（図３のシーンＩＤ、連続カウンタ、アンケートＩＤ）を書き込む。サーバ１４はブロック＃２０４でＣＭ、場面データを付加したコンテンツを、ダウンロード要求があった記録再生装置１０に送信する。
【００２９】
記録再生装置１０はブロック＃１０４でコンテンツを受信すると、ブロック＃１０６でコンテンツを記録する。なお、コンテンツの配信フォーマットは図２のフォーマットではなく、所定のフォーマットであるが、記録時に図２のフォーマットに変換（データの再配置）される。
【００３０】
ブロック＃１０８でコンテンツの再生を開始する。ブロック＃１１０で再生部分はＣＭ部分であるか否かを判定する。ＣＭ部分のＧＯＰのＲＤＩパックにのみ場面データが記述されているので、シーンＩＤを検出すると、ＣＭ部分が再生されていることを判定できる。ＣＭ部分の再生（シーンＩＤ）を検出するまでブロック＃１１０が繰り返される。シーンＩＤを検出すると、ブロック＃１１２でシーンＩＤ、再生開始情報、マシンＩＤを送信する。再生開始情報はシーンＩＤで特定されるＣＭ部分の再生開始（通常再生）を表すものである。マシンＩＤは当該記録再生装置１０を特定する情報である。
【００３１】
サーバ１４はブロック＃２０６でシーンＩＤ、通常再生開始情報、マシンＩＤを受信する。サーバ１４は受信データに基づいて記録再生装置１０がＣＭを通常再生開始したことを認識する。
【００３２】
記録再生装置１０はブロック＃１１４で各ＲＤＩパック内のＭＮＦＩ＿ＤＴ内のシーンＩＤが変化したか否かを判定する。１つのＣＭの通常再生が終わり、他のＣＭの再生が開始すると、シーンＩＤが変化する。シーンＩＤが変化していない場合は、同じＣＭの通常再生中であり、ブロック＃１２８の処理が実行される。シーンＩＤが変化した場合は、記録再生装置１０はブロック＃１１６でシーンＩＤが連続的に変化したか否かを判定する。連続して変化した場合は、１つのＣＭの通常再生から連続する次のＣＭの通常再生に移ったことを意味するので、ブロック＃１２２の処理が実行される。
【００３３】
シーンＩＤが連続的に変化していない場合は、ＣＭがスキップされた可能性があると判断できる。あるＣＭのスキップをコンテンツ提供者が再生状況に応じて指示（プレイリストに記載）することがある。そのため、ブロック＃１１８でスキップがコンテンツ提供者の指示（意図）であるか否か判定する。スキップがコンテンツ提供者の指示ではない場合、ＣＭが（コンテンツ提供者の意図に反してユーザの操作により）スキップされたと判定し、ブロック＃１２０で記録再生装置１０はスキップ開始情報（通常再生された最後のＧＯＰのＲＤＩのシーンＩＤも含む）をサーバ１４へ送信する。サーバ１４はブロック＃２０８で記録再生装置１０がＣＭをスキップ開始したことを認識する。記録再生装置１０はブロック＃１２０の処理の後、ブロック＃１３６の処理を実行する。
【００３４】
スキップがコンテンツ提供者の指示ではない場合、記録再生装置１０はブロック＃１２２で通常再生が終了したＣＭの最後のＧＯＰのＲＤＩに記述されているアンケートＩＤをサーバ１４へ送信する。サーバ１４はブロック＃２１０でアンケートＩＤを受信すると、ＩＤに応じたアンケートを記録再生装置１０へ送信する（ブロック＃２１２）。記録再生装置１０はブロック＃１２４でアンケートを受信して、アンケート内容を表示し、視聴者に回答を入力させる。アンケートはＣＭを視聴していないと正解できないクイズを含み、これにより現実には視聴しないがＣＭを再生するだけの状況を防止できる。アンケートの回答のサーバ１４への送信は保留する。これは、頻繁なサーバへのアクセスを防止するためである。
【００３５】
記録再生装置１０はブロック＃１２６でアンケートＩＤを送信したＣＭのシーンＩＤを記憶する。
【００３６】
記録再生装置１０はブロック＃１２８で連続カウンタの値が連続しているか否かを判定する。ＣＭが通常再生されている間は、再生に従いＧＯＰが変化すると、連続カウンタも連続して変化する。連続カウンタが不連続に変化している時はスキップ（ＧＯＰがスキップ）された場合であるので、ブロック＃１３０でスキップ開始情報（通常再生された最後のＧＯＰのＲＤＩのシーンＩＤも含む）をサーバ１４へ送信する。サーバ１４はブロック＃２１４で記録再生装置１０がＣＭの通常再生からスキップに切り替わったことを認識する。記録再生装置１０はブロック＃１３０の処理の後、ブロック＃１３６の処理を実行する。
【００３７】
連続カウンタが連続に変化していても、通常再生とは限らず早送り再生している場合がある。図２に示すように各ＧＯＰは０．５秒間隔で配置されているので、通常再生の場合はＲＤＩは所定（０．５秒）の間隔で再生される。そのため、記録再生装置１０はブロック＃１３２で連続カウンタの連続変化のレートが所定のレート以上か否かを調べることにより、通常再生か早送り再生かを判別できる。連続変化のレートが所定レート以上である場合は、早送り再生であると判定できるので、ブロック＃１３４で早送り再生開始情報（通常再生された最後のＧＯＰのＲＤＩのシーンＩＤも含む）をサーバ１４へ送信する。サーバ１４はブロック＃２１６で記録再生装置１０がＣＭの通常再生から早送り再生に切り替わったことを認識する。記録再生装置１０はブロック＃１３４の処理の後、ブロック＃１３６の処理を実行する。
【００３８】
連続変化のレートが所定レート以上で無い場合は、通常再生が続行していると判定できる。記録再瀬装置１０はブロック＃１３６で再生停止の指示の有無を判定する。再生停止指示が無い場合は、ブロック＃１１２の処理を実行する。再生停止指示があった場合は、記録再生装置１０はブロック＃１３８で停止情報と、今までに入力していて送信を保留していたアンケート回答をサーバ１４へ送信する。サーバ１４はブロック＃２１８で停止情報とアンケート回答を受信する。
【００３９】
サーバ１４はＣＭが通常再生され、アンケートＩＤが記録再生装置１０から送信されると、ユーザに特典を与える。特典としては、商品・サービスの次回購入時に有効な割引等がある。さらに、正解するためにはＣＭの視聴が条件であるアンケート回答が正解である場合は、さらなる特典を視聴者へ与える。これにより、ユーザのＣＭの視聴を促すことが出来る。
【００４０】
一例として、ユーザが記録再生装置１０を操作してサーバ１４にアクセスし「歌手ＡＡＡ」のライブビデオを購入したとする。サーバ１４はユーザの購入履歴から「歌手ＡＡＡ」に関する情報を収集し、それに応じたＣＭをライブビデオに付加するとともに、ＣＭ部分のＲＤＩに場面データを記述してから、コンテンツを記録再生装置１０へ送信する。
【００４１】
ユーザがライブビデオを再生し、ＣＭ部分の再生になると、場面データを再生し、再生状況に応じた情報をサーバ１４へ送信する。ＣＭが通常再生されたことを認識すると、サーバ１４は次回購入時に有効な割引の特典をユーザに与え、正しいアンケート回答が送信されると、さらなる特典（無料等）を視聴者へ与える。
【００４２】
図６はある再生状態の一例における記録再生装置１０からサーバ１４への送信情報の内容と送信タイミングを説明するための図である。ここでは、本編の間に５つのＣＭが連続して挿入されている例を説明する。ＣＭ１は通常再生され、ＣＭ２は全体がスキップされ、ＣＭ３は途中で逆方向にスキップされ、そこから通常再生が再開され、ＣＭ４は途中で通常再生が終了され、ＣＭ５の開始までスキップされ、ＣＭ５は通常再生される。
【００４３】
ＣＭ１の通常再生開始時（ｔ１）にＣＭ１の通常再生開始を示す通常再生信号Ｓ１がサーバ１４に送信される。
【００４４】
ＣＭ１の通常再生終了時（ｔ２）にＣＭ１のアンケートＩＤ（＝００００１）とＣＭ２のスキップ信号（ＩＤ＝００００２）がサーバ１４に送信される。ＣＭ２は通常再生開始とともにスキップされ、次にＣＭ３が通常再生される。
【００４５】
ＣＭ３の再生開始時（ｔ３）にＣＭ３の通常再生開始を示す通常再生信号Ｓ３がサーバ１４に送信される。
【００４６】
ＣＭ３の通常再生途中のタイミングｔ５でＣＭ３のスキップを示すスキップ信号（ＩＤ＝００００３）がサーバ１４に送信される。
【００４７】
スキップ後のタイミングｔ４でＣＭ３の通常再生開始を示す通常再生信号Ｓ３がサーバ１４に送信される。
【００４８】
ＣＭ４の通常再生途中のタイミングｔ７でＣＭ３のスキップを示すスキップ信号（ＩＤ＝００００４）がサーバ１４に送信される。
【００４９】
ＣＭ５の通常再生開始時（ｔ８）でＣＭ５の通常再生開始を示す通常再生信号Ｓ５がサーバ１４に送信される。
【００５０】
ＣＭ５の通常再生が終了し、停止指示が入力されるとする。すると、タイミングｔ９でＣＭ５のアンケートＩＤ（＝００００５）と、ＣＭ再生終了信号がサーバ１４に送信される。
【００５１】
なお、図６では早送り再生は示しておらず、スキップしか示していないが、早送り再生の場合も同様に早送り再生を検出したら早送り再生信号をサーバ１４に送信する。
【００５２】
以上説明したように第１の実施の形態によれば、ＣＭ部分のＲＤＩパック内のＭＮＦＩ＿ＤＴ内にＣＭを識別する連続番号であるシーンＩＤと、ＣＭ内のＧＯＰに対して連続して付された連続番号である連続カウントと、ＣＭに対応するアンケートＩＤを記述することにより、記録再生装置１０はコンテンツの再生中にシーンＩＤあるいは連続カウンタの変化状況に応じてＣＭが通常再生されているのか、早送り再生されているのか、スキップされたのかを認識することができる。認識結果は通常再生開始信号、早送り再生開始信号、スキップ信号として、サーバ１４に送信される。このため、コンテンツ提供者側は視聴者が自分が意図した再生状態（通常再生状態）でＣＭを再生しているか否かを認識することができる。記録再生装置１０からサーバ１４への送信は再生状態が変化する時に行われるが、即時性の必要とされないアンケート回答はその都度送信せずに、次の送信の機会まで保留される。このため、サーバアクセスの回数を減らしてサーバの負荷を軽減し、合わせてクライアント機器側の処理の効率を上げている。
【００５３】
以上本発明によれば、コンテンツのＣＭ部分に再生状況を検出するための場面データを記述し、ＣＭの再生中に読み出された場面データに基づいてＣＭコンテンツの再生状況を判断し、判断結果をコンテンツ配信サーバへ送信することにより、サーバはＣＭがコンテンツの配信者が意図する再生状態が再生されたか否かを判別することはできる。これにより、配信者はＣＭの視聴を促進する策を講じることが出来る。
【００５４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。例えば、場面データにアンケートＩＤを含ませて、ＣＭが通常再生されたらアンケートを送信したが、これは省略してもよい。また、早送り再生やスキップをシーンＩＤや連続カウンタの変化の連続性に基づいて判定したが、これに限らず、ユーザ操作入力部７４からの操作指示に応じて判定しても良い。
【００５５】
また、本発明は、コンピュータに所定の手段を実行させるための（あるいはコンピュータを所定の手段として機能させるための、あるいはコンピュータに所定の機能を実現させるための）プログラムを記録したコンピュータ読取り可能な記録媒体としても実施することもできる。
【図面の簡単な説明】
【００５６】
【図１】本発明の一実施形態に係る記録再生装置と、コンテンツ配信サーバとからなるコンテンツ配信システムの概略を示すブロック図。
【図２】コンテンツの一例としてのＤＶＤ−ＶＲ規格のコンテンツのデータフォーマットを示す図。
【図３】図２のＲＤＩデータの詳細の一例を示す図。
【図４】図１の記録再生信号処理部の一例の詳細を示す図。
【図５】図１のシステムの動作を示すフローチャート。
【図６】図１のシステムでクライアントからサーバへ送信される情報とそのタイミングを説明するための図。
【符号の説明】
【００５７】
１０…記録再生装置、１２…ネットワーク、１４…コンテンツ配信サーバ、１６…モニタ装置、２２…データベース、２６…制御ＣＰＵ部、４２…ＤＶＤドライブ部、４６…ハードディスクドライブ部、５０…記録再生信号処理部、５６…制御ＣＰＵ部。
【図１】
2009141435.tif 000003
【図２】
2009141435.tif 000004
【図３】
2009141435.tif 000005
【図４】
2009141435.tif 000006
【図５】
2009141435.tif 000007
【図６】
2009141435.tif 000008